(57)【要約】【課題】治療部位を詳細に確認できる眼科用レーザ治療装置を提供することを技術課題とする。【解決手段】  患者眼を治療するための眼科用レーザ治療装置であって、前記患者眼に治療用のレーザ光を照射する照射手段と、前記レーザ光を偏向するための偏向手段と、前記患者眼の狭域眼底画像を撮影するための狭域撮影手段と、を備え、前記照射手段と、前記狭域撮影手段とは、前記偏向手段を共有することを特徴とする。これによって、治療部位を詳細に確認できる。【選択図】図３
2020185025.tif 000002
【特許請求の範囲】
【請求項１】
患者眼を治療するための眼科用レーザ治療装置であって、
前記患者眼に治療用のレーザ光を照射する照射手段と、
前記レーザ光を偏向するための偏向手段と、
前記患者眼の狭域眼底画像を撮影するための狭域撮影手段と、を備え、
前記照射手段と、前記狭域撮影手段とは、前記偏向手段を共有することを特徴とする眼科用レーザ治療装置。
【請求項２】
前記狭域眼底画像よりも撮影領域の広い広域眼底画像を取得する画像取得手段をさらに備えることを特徴とする請求項１に記載の眼科用レーザ治療装置。
【請求項３】
前記画像取得手段は、前記広域眼底画像を撮影するための広域撮影手段を備えることを特徴とする請求項２に記載の眼科用レーザ治療装置。
【請求項４】
前記画像取得手段は、前記広域眼底画像として予め撮影された画像を読み込むことを特徴とする請求項２に記載の眼科用レーザ治療装置。
【請求項５】
前記広域眼底画像と前記狭域眼底画像とを比較することによって、前記広域眼底画像上での前記狭域撮影手段の撮影位置を特定する制御手段をさらに備えることを特徴とする請求項２に記載の眼科用レーザ治療装置。
【請求項６】
前記制御手段は、特定した前記撮影位置を術者に提示することを特徴とする請求項５に記載の眼科用レーザ治療装置。
【請求項７】
前記制御手段は、特定した前記撮影位置に基づいて前記偏向手段の偏向量を調整することを特徴とする請求項５に記載の眼科用レーザ治療装置。
【請求項８】
前記狭域撮影手段は、前記患者眼の治療部位を照明するための照明用光源を備えることを特徴とする請求項１〜７のいずれかに記載の眼科用レーザ治療装置。
【請求項９】
前記レーザ光の照射状態を示すための照準光を投光する照準光学系をさらに備え、
前記狭域撮影手段は、前記照準光の戻り光を撮影することを特徴とする請求項１〜８のいずれかに記載の眼科用レーザ治療装置。
【請求項１０】
患者眼を治療するための眼科用レーザ治療装置であって、
前記患者眼に治療用のレーザ光を照射する照射手段と、
前記患者眼の狭域眼底画像を撮影するための狭域撮影手段と、を備え、
前記狭域撮影手段の撮影位置は、前記照射手段による前記レーザ光の照射位置と連動することを特徴とする眼科用レーザ治療装置。
【発明の詳細な説明】
【技術分野】
【０００１】
本開示は、レーザ光を照射することによって患者眼を治療する眼科用レーザ治療装置に関する。
【背景技術】
【０００２】
患者眼にレーザ光を照射し、患者眼の治療を行うための眼科用レーザ治療装置において、眼底撮影部を備えるものが知られている（特許文献１参照）。このような眼科用レーザ治療装置は、眼底撮影部によって広域眼底画像を取得し、広域眼底画像の任意の部位にレーザ光を照射する。
【先行技術文献】
【特許文献】
【０００３】
【特許文献１】特開２０１０−１４８６３５号公報
【発明の概要】
【発明が解決しようとする課題】
【０００４】
しかしながら、従来の眼科用レーザ治療装置は、治療部位の詳細な確認に適していなかった。
【０００５】
本開示は、従来技術の問題点に鑑み、治療部位を詳細に確認できる眼科用レーザ治療装置を提供することを技術課題とする。
【課題を解決するための手段】
【０００６】
上記課題を解決するために、本開示は以下のような構成を備えることを特徴とする。
【０００７】
（１）  患者眼を治療するための眼科用レーザ治療装置であって、前記患者眼に治療用のレーザ光を照射する照射手段と、前記レーザ光を偏向するための偏向手段と、前記患者眼の狭域眼底画像を撮影するための狭域撮影手段と、を備え、前記照射手段と、前記狭域撮影手段とは、前記偏向手段を共有することを特徴とする。
（２）  患者眼を治療するための眼科用レーザ治療装置であって、前記患者眼に治療用のレーザ光を照射する照射手段と、前記患者眼の狭域眼底画像を撮影するための狭域撮影手段と、を備え、前記狭域撮影手段の撮影位置は、前記照射手段による前記レーザ光の照射位置と連動することを特徴とする。
【発明の効果】
【０００８】
本開示によれば、治療部位を詳細に確認できる。
【図面の簡単な説明】
【０００９】
【図１】眼科用レーザ治療装置の概略構成図である。
【図２】表示部に表示された広域眼底画像の一例を示す図である。
【図３】表示部に表示された広域眼底画像と狭域眼底画像の一例を示す図である。
【発明を実施するための形態】
【００１０】
＜実施形態＞
以下、図面に基づいて、本開示の実施形態を説明する。本実施形態の眼科用レーザ治療装置（例えば、眼科用レーザ治療装置１）は、患者眼を治療する。眼科用レーザ治療装置は、例えば、照射部（例えば、照射光学系１０）と、偏向部（例えば、偏向部１７）と、狭域撮影部（例えば、狭域撮影部３０）とを備える。照射部は、例えば、患者眼に治療用のレーザ光を照射する。偏向部は、レーザ光を偏向する。偏向部は、例えば、レーザ光を偏向することによって、患者眼上でレーザ光の照射位置を設定する。狭域撮影部は、患者眼の狭域眼底画像を撮影する。照射部と、狭域撮影部とは、偏向部を共有する。例えば、挟域撮影部は、患者眼からの戻り光を、偏向部を介して受光する。偏向部によってレーザ光が偏向されると、それと連動して狭域撮影部の照明光および戻り光も偏向される。本実施形態の眼科用レーザ治療装置は、このような構成を備えることによって、患者眼の治療部位（レーザ光の照射位置およびその周辺）を詳細に確認することができる。
【００１１】
なお、眼科用レーザ治療装置は、画像取得部（例えば、制御部６０）をさらに備えてもよい。画像取得部は、狭域眼底画像よりも撮影領域の広い広域眼底画像を取得する。画像取得部は、広域眼底画像を撮影するための広域撮影部（例えば、広域撮影部４０）を備えてもよい。なお、画像取得部は、広域眼底画像として予め撮影された画像を読み込んでもよい。
【００１２】
なお、本装置は、制御部（例えば、制御部６０）をさらに備えてもよい。制御部は、例えば、広域眼底画像と狭域眼底画像とを比較することで広域眼底画像上での狭域撮影部の撮影位置を特定してもよい。また、制御部は、特定した撮影位置を術者に提示してもよい。例えば、制御部は、撮影位置を表示部（例えば、表示部６３）に表示させてもよい。また、制御部は、特定した撮影位置に基づいて偏向部の偏向量を調整してもよい。例えば、制御部は、広域眼底画像上で指定された位置を狭域撮影部で撮影するように偏向部の偏向量を調整してもよい。
【００１３】
なお、狭域撮影部は、照明用光源を備えてもよい。この場合、挟域撮影部は、照明用光源による照明光が患者眼の眼底で反射されたときの戻り光を受光してもよい。
【００１４】
なお、本装置は、照準光学系をさらに備えてもよい。照準光学系は、レーザ光の照射状態（例えば、レーザ光の照射位置、スポットの大きさ、およびフォーカス等）を示すための照準光を投光する。この場合、狭域撮影部は、治療部位からの照準光の戻り光を撮影してもよい。
【００１５】
なお、眼科用レーザ治療装置において、狭域撮影部の撮影位置は、照射部によるレーザ光の照射位置と連動する。つまり、挟域撮影部の撮影位置は、レーザ光または照準光の照射位置とともに移動され、撮影領域の所定位置にレーザ光が照射される。これによって、眼科レーザ治療装置は、患者眼の治療部位における眼底画像を取得でき、術者は治療部位を詳細に確認できる。この場合、照射部と狭域撮影部とで偏向部を共有させることによって撮影位置と照射位置を連動させてもよいし、偏向部を共有させず、照射部と狭域撮影部とで別々に設けられた偏向部を制御部によって同期させて制御することによって撮影位置と照射位置を連動させてもよい。
【００１６】
＜実施例＞
以下、本開示に係る眼科用レーザ治療装置の実施例を図面に基づいて説明する。本実施例の眼科用レーザ治療装置１は、例えば、照射光学系（レーザデリバリ系）１０と、狭域撮影部３０と、広域撮影部４０と、制御部６０を主に備える（図１参照）。照射光学系１０は、治療用レーザ光および照準光（エイミング光）を患者眼Ｅに照射する。狭域撮影部３０は、患者眼Ｅの狭域眼底画像を撮影する。広域撮影部４０は、患者眼Ｅの広域眼底画像を撮影する。制御部６０は、眼科用レーザ治療装置１を制御する。
【００１７】
＜照射光学系＞
照射光学系１０は、例えば、治療用レーザ光を発振し、レーザ光を患者眼Ｅに照射する。照射光学系１０は、例えば、レーザ光源１１、レンズ１２、レンズ１５、レンズ１６、偏向部１7、対物レンズ１８、フォーカス調整部２０などを備える。
【００１８】
レーザ光源１１は、治療用レーザ光を出射する。また、本実施例のレーザ光源１１は、照準光源を兼ねる。例えば、レーザ光源１１は、可視の照準光を出射する。照準光は、眼底Ｅｒに照射される治療用レーザ光の照射状態（例えば、治療用レーザ光の照射位置、スポットの大きさ、およびフォーカス等）を示す。もちろん、レーザ光源と照準光源は別々に設けられてもよい。レンズ１２は、レーザ光源１１からのレーザ光または照準光を平行光束とする。レンズ１５は、レーザ光または照準光を一旦結像させる。レンズ１６は、レンズ１５によって結像されたレーザ光または照準光を偏向部１7に導光する。偏向部１7は、患者眼Ｅの眼底上でレーザ光または照準光を走査させる。偏向部１7は、例えば、ガルバノミラーなどである。偏向部１7は、例えば、Ｘ軸走査用のガルバノミラーと、Ｙ軸走査用のガルバノミラーを備え、レーザ光または照準光を眼底上で２次元的に走査させる。これによって、偏向部１７は、患者眼上で照射位置を設定できる。対物レンズ１８は、偏向部１7によって偏向されたレーザ光または照射光を患者眼Ｅに照射する。
【００１９】
レーザ光源１１からのレーザ光または照準光は、ファイバ１１ａを通ってファイバ端１１ｂから出射した後、レンズ１２およびダイクロイックミラー５０を透過し、レンズ１５およびレンズ１６を介して、偏向部１7およびダイクロイックミラー５１で反射され、対物レンズ１８によって眼底Ｅｒに集光する。このとき、偏向部１7によって眼底上におけるレーザ光または照準光の照射位置が変更される。
【００２０】
フォーカス調整部２０は、患者眼Ｅの組織（本実施例では眼底Ｅｒ）における治療用レーザ光および照準光のフォーカスを調整する。フォーカス調整部２０は、例えば、駆動部２１を備える。駆動部２１は、例えば、照射光学系１０の一部または全部を光軸方向に移動させる。例えば、フォーカス調整部２０は、ファイバ端１１ｂからレンズ１５までの光学系（図１の点線枠内）を駆動部２１によって光軸方向に一体的に移動させることで、レーザ光および照準光のフォーカスを調整する。
【００２１】
＜狭域撮影部＞
狭域撮影部３０は、例えば、レーザ光の照射位置を含む眼底Ｅｒの治療部位を撮影する。狭域撮影部３０は、例えば、眼底の一部を患者眼の正面方向から撮影し、眼底正面画像を取得する。狭域撮影部３０は、照射光学系１０の光路から分岐される。例えば、狭域撮影部３０は、レンズ１２とレンズ１５との間に配置されたダイクロイックミラー５０の反射方向に設けられる。狭域撮影部３０の光軸は、ダイクロイックミラー５０によって照射光学系１０の光軸と同軸とされる。
【００２２】
狭域撮影部３０は、例えば、投光光学系３０ａと、受光光学系３０ｂを備える。投光光学系３０ａは、例えば、狭域撮影用の照明光を患者眼Ｅの眼底Ｅｒに投光する。受光光学系３０ｂは、投光光学系３０ａによって投光された照明光が患者眼Ｅの眼底Ｅｒによって反射して戻ってきたときの戻り光を受光する。
【００２３】
投光光学系３０ａは、例えば、照明用光源３１と、コンデンサーレンズ３２と、視野絞り３３と、レンズ３４と、投受分離ミラー３５を備える。また、投光光学系３０ａは、照射光学系１０の一部（レンズ１５、レンズ１６、偏向部１７、および対物レンズ１８など）を共有する。照明用光源３１は、眼底Ｅｒを照明するための照明光を出射する。照明用光源３１は瞳共役面に配置されている。狭域眼底画像をカラーで撮影する場合、照明用光源３１には白色ＬＥＤなどが用いられる。コンデンサーレンズ３２は、照明光を集光させる。コンデンサーレンズ３２は、焦点位置が照明用光源３１の位置となるように配置される。視野絞り３３は、照明光の光束サイズを狭域撮影範囲に対応するサイズに変換する。視野絞り３３は、眼底共役面に配置される。レンズ３４は、照明光を投受分離ミラー３５に向けて集光させる。投受分離ミラー３５は、投光光学系３０ａの光路と受光光学系３０ｂの光路を分離する。投受分離ミラー３５は、瞳共役面に配置される。投受分離ミラー３５は、投光光束と受光光束とを空間的に分離することによって、光学系内部の反射光を除去する役割を果たしてもよい。
【００２４】
受光光学系３０ｂは、レンズ３６と、受光素子３７を備える。また、受光光学系３０ｂは、投光光学系３０ａと同様に、照射光学系１０の一部（レンズ１５、レンズ１６、偏向部１７、および対物レンズ１８など）を共有する。レンズ３６は、照明光が眼底Ｅｒで反射されたときの戻り光を受光素子３７に向けて集光させる。受光素子３７は、レンズ３６によって集光された戻り光を受光する。受光素子３７は、例えば、２次元受光素子である。受光素子３７の受光信号は制御部６０へ出力される。
【００２５】
照明用光源３１からの光束は、コンデンサーレンズ３２で集光され、視野絞り３３を通過した後、レンズ３４によって投受分離ミラー３５のミラー面に集光される。これによって、投受分離ミラー面上に照明用光源３１の像が形成される。投受分離ミラー３５で反射した光束はダイクロイックミラー５０でさらに反射して、照射光学系１０に導光される。その後は、レーザ光と同様に、レンズ１５、レンズ１６、偏向部１7、ダイクロイックミラー５１、および対物レンズ１８を介して患者眼Ｅの眼底Ｅｒに投光される。
【００２６】
一方、眼底Ｅｒで反射した照明光の戻り光は、対物レンズ１８、ダイクロイックミラー５１、偏向部１7、レンズ１６、およびレンズ１５を介してダイクロイックミラー５０で反射された後、投受分離ミラー３５の周辺を通過してレンズ３６によって集光され、受光素子３７上に眼底像を形成する。
【００２７】
なお、狭域撮影部３０の配置は上記の例に限らない。例えば、狭域撮影部３０は、偏向部１７より上流側（レーザ光源１１側）の何処かに配置されてもよい。
【００２８】
＜広域撮影部＞
広域撮影部４０は、例えば、患者眼Ｅの広域眼底画像を撮影する。広域撮影部４０は、例えば、撮影光源４１と、コンデンサーレンズ４１ａと、スリット板４２と、レンズ４３と、走査部４４と、対物レンズ１８と、光路分岐部４５と、レンズ４６と、撮像素子４７を備える。撮影光源４１は、組織の画像を撮影するための光（以下、「撮影光」という）を出射する。撮影光源４１には、例えば、レーザ光源、ＳＬＤ（スーパー・ルミネッセント・ダイオード）光源、ＬＥＤ等の少なくともいずれかを用いることができる。撮影光源４１には、点状の光源が用いられてもよい。コンデンサーレンズ４１ａは、撮影光源４１から出射された撮影光をスリット板４２上へ集める。本実施例の撮影光源４１は、患者眼Ｅの組織（本実施例では瞳孔）と共役な位置に配置される。撮影光源４１は、赤外光、近赤外または可視光の少なくともいずれかを出射する光源であってもよい。赤外光を出射する光源を用いる場合、無散瞳状態での撮影が容易に行われる。白色光を出射する光源を用いる場合、カラー撮影が容易に行われる。
【００２９】
スリット板４２は、撮影光源４１から出射された撮影光の一部を遮蔽することで、撮影光をスリット状光束に変換する。つまり、スリット板４２は、撮影光をスリット状光束に変換する光束変換素子として機能する。スリット板４２は、例えば、眼底共役位置上に配置される。本実施例のスリット板４２は、走査部４４によるスリット状光束の走査方向に交差（本実施例では直交）する方向に延びるスリットを有し、走査方向にはスリット幅を有する。スリット板４２からの光は、レンズ４３および光路分岐部４５を通過して、走査部４４へ入射される。
【００３０】
なお、スリット板４２以外の光学素子を光束変換素子として採用することも可能である。例えば、光束変換素子として、撮影光源４１と眼底共役位置との間に配置されたシリンドリカルレンズを採用し、眼底共役位置において撮影光をライン状に集光させてもよい。その結果、眼底Ｅｒ上において撮影光がライン状に成形される。
【００３１】
レンズ４３は、撮影光源４１から出射された撮影光を、対物レンズ１８の前側焦点位置にて一旦結像させる。レンズ４３は、１つのレンズによって構成されていてもよいし、一群のレンズによって構成されていてもよい。
【００３２】
対物レンズ１８は、走査部４４から入射する撮影光を患者眼Ｅの眼底Ｅｒに導光する。また、対物レンズ１８は、患者眼Ｅの眼底Ｅｒによって反射された撮影光の戻り光を、走査部４４に戻す。対物レンズ１８は、１つのレンズによって構成されていてもよいし、一群のレンズによって構成されていてもよい。本実施例では、対物レンズ１８によって、走査部４４は患者眼Ｅの瞳孔と共役な位置に配置されている。対物レンズ１８は、撮影光の光路のうち、走査部４４よりも下流側（詳細には、ダイクロイックミラー５１よりも下流側）、且つ患者眼Ｅよりも上流側に配置されている。なお、対物レンズ１８は照射光学系１０と兼用される。
【００３３】
走査部４４は、患者眼Ｅに投光される撮影光を眼底上で走査させる。本実施例の走査部４４は、撮影光のスリット状光束を、スリット方向に交差（本実施例では直交）する方向に走査させる。走査方向は、例えば、鉛直方向であってもよいし、水平方向であってもよい。走査部４４を構成する素子には、反射ミラー（例えば、ガルバノミラー、ポリゴンミラー、またはレゾナントスキャナ）、または、光の進行方向を変化させる音響光学素子等の少なくともいずれかを用いることができる。また、走査部４４は、複数の素子（例えば、撮影光をＸ方向に走査する素子と、撮影光をＹ方向に走査する素子）を備えていてもよい。
【００３４】
レンズ４３と対物レンズ１８との間の光路上には、光路分岐部４５が設けられている。光路分岐部４５は、撮影光源４１から出射されて眼底Ｅｒに投光される撮影光（本実施例ではスリット状光束）を通過（または透過）させる。また、光路分岐部４５は、眼底Ｅｒによって反射された撮影光の戻り光を反射させて、レンズ４６に導光する。光路分岐部４５は、穴あきミラー、ハーフミラー等の種々のビームスプリッタのうち、いずれかであってもよい。
【００３５】
レンズ４６は、患者眼Ｅの眼底Ｅｒによって反射された撮影光の戻り光を、撮像素子４７上で結像させる。撮像素子４７は、眼底Ｅｒによって反射された撮影光の戻り光を受光し、撮像信号を出力する。撮像素子４７は、患者眼Ｅの眼底Ｅｒと共役な位置に配置されている。本実施例の撮像素子４７には、スリット状の反射光を受光する二次元撮像素子が用いられている。
【００３６】
撮影光源４１から出射された撮影光は、スリット板４２、レンズ４３、光路分岐部４５を通過し、走査部４４によって偏向された後、対物レンズ１８を介して患者眼Ｅへ照射される。対物レンズ１８は、前眼部に形成される射出瞳を介して、撮影光を眼底Ｅｒへ導く。走査部４４の駆動に応じて、撮影光は射出瞳の位置で旋回される。撮影光は、眼底Ｅｒで反射又は散乱される。その結果として、眼底Ｅｒからの戻り光（散乱・反射光）が、瞳孔から平行光として出射される。眼底Ｅｒからの戻り光は、対物レンズ１８、走査部４４、光路分岐部４５、レンズ４６を介して撮像素子４７に受光される。
【００３７】
なお、広域撮影部４０の撮影光はスリット状でなくてもよく、ライン状または点状などの光束を患者眼Ｅに投光してもよい。
【００３８】
＜制御部＞
制御部６０は、眼科用レーザ治療装置１における各種制御処理を行う。制御部６０は、制御を司るコントローラであるＣＰＵ６１と、プログラムおよびデータ等を記憶することが可能な記憶部６２を備える。記憶部６２には、患者眼Ｅへのレーザ光照射を実行するためのレーザ治療プログラム等が記憶されている。なお、制御部６０およびコントローラの数は１つに限定されない。制御部６０には、表示部６３と、操作部６４などが接続される。表示部６３は、狭域撮影部３０によって撮影された狭域眼底画像、および広域撮影部４０によって撮影された広域眼底画像などが表示される。操作部６４は、術者の操作を受け付け、制御部６０へ操作信号を出力する。
【００３９】
＜レーザ治療時の動作＞
以上のような眼科用レーザ治療装置１を用いてレーザ治療を行うときの動作を操作方法とともに説明する。
【００４０】
まず、術者は、患者を椅子に座らせ、図示無き顔支持部（例えば、顎台および額当てなど）によって頭部を固定させる。術者は、患者眼Ｅにコンタクトレンズを装着した状態で操作部６４を操作し、患者眼Ｅに対する装置１の位置合わせを行う。このとき、制御部６０は、広域撮影部４０によって取得される画像を随時表示部６３に表示させており、術者は表示部６３に眼底Ｅｒが写るようになるまで位置合わせを行う。図２に示すように、表示部６３に広域眼底画像Ｐ１が写るようになると、術者は、操作部６４に設けられたオプティマイズスイッチを押す。オプティマイズスイッチが押されると、制御部６０によって広域眼底画像Ｐ１が最適化される。例えば、制御部６０によって広域撮影部４０のフォーカスが調整される。
【００４１】
その後、操作部６４に設けられた照準光出力スイッチが術者によって押されると、照射光学系１０によって照準光が出力される。照準光が出力されると、図３に示すように、表示部６３には広域撮影部４０によって撮影された広域眼底画像Ｐ１とともに、狭域撮影部３０によって撮影された狭域眼底画像Ｐ２が表示されており、広域眼底画像Ｐ１上には狭域眼底画像Ｐ２の撮影位置が電子枠Ｑで表示される。また、狭域眼底画像Ｐ２内には、照準光像Ｇが観察できる。
【００４２】
レーザ光の照射位置が変更される場合、制御部６０は、広域眼底画像Ｐ１上の電子枠Ｑの位置と偏向部１７の傾きを変更する。狭域撮影部３０は偏向部１７を共有しているため、レーザ光の照射位置の変更と同時に撮影位置も変更される。なお、狭域撮影部３０の光軸とレーザ光の光軸は共有されるため、偏向部１７の傾きに関わらず、常に照準光像Ｇは狭域眼底画像Ｐ２の中心に位置することになる。
【００４３】
以上のように、本実施例の眼科用レーザ治療装置１は、狭域撮影部３０を備えることによって、治療部位の詳細を鮮明に確認することができる。また、完全に独立した狭域観察系を組み込むよりも、照射光学系１０に組み込むことで、レーザ光との軸合わせを不要にでき、かつ、全体的にコンパクトな構成にすることができる。また、広域撮影部４０によって撮影された広域眼底画像で眼底全体におけるレーザ光の照射位置を把握しながら、治療部位の詳細を確認することができるため、より正確な治療を実現できる。例えば、眼底撮影装置とレーザ光凝固装置とが一体となった従来の眼科用レーザ治療装置では、広域眼底画像によってレーザ光の照射位置が眼底上のどの辺りに位置しているのかを判断できたが、広域眼底画像だけではレーザ光の照射位置（及びその周辺）を詳細に観察することは難しかった。広域眼底画像のデジタルズームによる拡大表示も可能だが、画素が粗く、鮮明な観察は難しかった。
【００４４】
＜変容例＞
なお、上述の方法のように、狭域眼底画像Ｐ２の中心に照準光像Ｇが位置することが自明であれば、狭域眼底画像Ｐ２で照射位置を特定することができるため、必ずしも照準光は必要ではない。例えば、照準光を照射しない場合であっても、狭域眼底画像Ｐ２の中心にレーザ光が照射されることが分かる。この場合、制御部６０は、狭域眼底画像Ｐ２の中心に照準マークを電子的に表示させてもよい。
【００４５】
なお、制御部６０は、外部の撮影装置または記憶装置から広域眼底画像Ｐ１をインポートしてもよい。この場合、広域撮影部４０の構成を省略してもよい。また、制御部６０は、狭域眼底画像Ｐ２とインポート画像とをマッチングすることで、インポート画像のどの部位に狭域眼底画像Ｐ２があるかを術者に把握させることができる。また、制御部６０は、狭域撮影部３０によって撮影された狭域眼底画像Ｐ２に基づいて偏向部の偏向量を調整し、インポート画像に対してトラッキングしてもよい。また、広域撮影部４０の構成を省略することで、ハンドヘルドタイプの眼科用レーザ治療装置としてもよい。この場合も、偏向部１７が設けられるため、従来のスリットランプよりも精度良くレーザ光を照射できる。
【００４６】
なお、受光光学系３０ｂは、レーザ光のフォーカス検出に用いられてもよい。この場合、受光光学系３０ｂは、例えば、照準光が眼底Ｅｒで反射したときの戻り光を検出し、その検出結果に基づいて照準光のフォーカス状態を判定する。例えば、制御部６０は、受光素子３７によって取得された戻り光の像の輝度分布などによって照準光のフォーカス状態を判定する。例えば、受光素子３７がＣＣＤなどの２次元センサである場合、制御部６０は、画像における戻り光の像のボケ具合（輝度の大きさ、または像の広がり）で照準光のフォーカス状態を判定する。なお、本実施例の場合、照準光とレーザ光は共通光路で患者眼Ｅに照射されるため、照準光のフォーカス状態を判定することは、治療用レーザ光のフォーカス状態を判定することと同じである。
【００４７】
なお、本実施例の狭域撮影部３０は、広域撮影部４０ではなく、照射光学系１０の光路から分岐される。これによって、狭域撮影部３０（狭域眼底画像）の倍率と、広域撮影部４０（広域眼底画像）の倍率を、互いに異なる倍率にすることができるため、広域眼底画像の倍率に制限されることなく、治療部位を詳細に観察し易い倍率にすることができる。
【００４８】
なお、以上の実施例において、ダイクロイックミラーの特性、および詳細観察という観点から、広域眼底画像Ｐ１を赤外画像、狭域眼底画像Ｐ２をカラー画像としたが、これに限らない。例えば、狭域眼底画像Ｐ２も赤外画像であってもよい。この場合、例えば、ダイクロイックミラー５１の赤外光の反射率を50：50等にすればよい。
【００４９】
なお、広域眼底画像Ｐ１に照準光像が写るようにしてもよい。この場合、例えば、ダイクロイックミラー５１の照準光の反射率を50：50等にすればよい。
【００５０】
なお、狭域撮影部３０はＯＣＴ（Optical Coherence Tomography）の光学系を備え、患者眼Ｅの断層画像（例えば、Ｂスキャンによる２次元断層画像）を撮影してもよい。この場合、偏向部１７に加えてＯＣＴ用の偏向部を設けてもよい。
【００５１】
なお、上記の実施例において、各光学系の配置は変更してもよい。例えば、ダイクロイックミラー５０またはダイクロイックミラー５１などの透光側と反射側とを入れ換えてもよい。
【００５２】
なお、狭域撮影部３０を照射光学系以外から分岐させる場合、狭域撮影部３０は照射光学系１０の偏向部１７とは別の偏向部を備えてもよい。この場合、制御部６０は、照射光学系１０の偏向部１７と、狭域撮影部３０の偏向部とを同期させることによって、照射光学系１０によるレーザ光の照射位置と、狭域撮影部３０の撮影位置を連動させてもよい。これによって、眼科用レーザ治療装置１は、患者眼の治療部位の狭域画像を撮影することができる。
【００５３】
なお、広域撮影部４０は、狭域撮影部３０として兼用されてもよい。この場合、例えば、広域撮影部４０の撮影倍率を大きくして治療部位を撮影することによって、狭域眼底画像を撮影してもよい。
【００５４】
なお、上記の実施例において、コンタクトレンズを装着した状態で治療を行う例について説明したが、コンタクトレンズを装着しないで治療を行うことも可能である。
【符号の説明】
【００５５】
１        眼科用レーザ治療装置
１０      照射光学系
１１      レーザ光源
１７      偏向部
１８      対物レンズ
２０      フォーカス調整部
３０      狭域撮影部
４０      広域撮影部
６０      制御部
【図１】
2020185025.tif 000003
【図２】
2020185025.tif 000004
【図３】
2020185025.tif 000005